【手続補正書】
【提出日】平成23年4月13日(2011.4.13)
【手続補正１】
【補正対象書類名】特許請求の範囲
【補正対象項目名】全文
【補正方法】変更
【補正の内容】
【特許請求の範囲】
【請求項１】
記録媒体上の同一領域に対して、記録ヘッドをＮ回（Ｎは２以上の整数）記録走査させて、前記記録媒体上に画像を形成する画像形成装置であって、
前記記録走査の各々に対応する記録データを生成する記録データ生成手段と、
前記記録データ生成手段で生成された記録データに基づいて、前記記録媒体上に前記画像を記録する記録手段と、
ｋ回目（ｋは２≦ｋ≦Ｎを満たす整数）の記録走査とともに、前記記録手段による（ｋ−１）回目までの記録走査により前記記録媒体上に記録された画像の記録状態を検出する検出手段と、
前記検出手段により検出された（ｋ−１）回までの記録状態に基づいて、前記記録データ生成手段によるｋ回目の記録走査に対応する記録データの前記生成における少なくとも１つの画像処理を制御する制御手段と、
を有することを特徴とする画像形成装置。
【請求項２】
前記記録データ生成手段は、入力画像データを前記記録走査の各々に分割し該分割された分割画像データに対しそれぞれハーフトーン処理を施すことにより、前記記録走査の各々に対応する記録データを生成することを特徴とする請求項１に記載の画像形成装置。
【請求項３】
前記制御手段は、前記記録データ生成手段による前記ハーフトーン処理を制御することを特徴とする請求項２に記載の画像形成装置。
【請求項４】
前記制御手段は、前記記録データが示す濃度を補正することを特徴とする請求項１または２に記載の画像形成装置。
【請求項５】
前記検出手段により検出された前記記録手段による（ｋ−１）回目までの記録走査により前記記録媒体上に記録された画像の記録状態が示す濃度と、（ｋ−１）回目までの記録走査に対応する記録データの濃度の合計と、の差分を算出する算出手段を更に有し、
前記制御手段は、前記差分に基づいて前記記録データが示す濃度を前記補正することを特徴とする請求項４に記載の画像形成装置。
【請求項６】
前記検出手段は、前記記録ヘッドに付設されていることを特徴とする請求項１乃至５の何れか一項に記載の画像形成装置。
【請求項７】
記録媒体上の同一領域に対して、記録ヘッドをＮ回（Ｎは２以上の整数）記録走査させて、前記記録媒体上に画像を形成する画像形成装置であって、
前記記録走査の各々に対応する記録データを生成する記録データ生成手段と、
前記記録データ生成手段で生成された記録データに基づいて、前記記録媒体上に前記画像を記録する記録手段と、
ｊ回目（ｊは１≦ｊ≦Ｎ−１を満たす整数）の記録走査とともに、前記記録手段によるｊ回目までの記録走査により前記記録媒体上に記録された画像の記録状態を検出する検出手段と、
前記検出手段により検出されたｊ回目までの記録状態に基づいて、前記記録データ生成手段による（ｊ＋１）回目の記録走査に対応する記録データの前記生成における少なくとも１つの画像処理を制御する制御手段と、
を有することを特徴とする画像形成装置。
【請求項８】
画像形成装置が備えるコンピュータが読み込み実行することで、該画像形成装置を請求項１乃至７の何れか一項に記載の画像形成装置として機能させることを特徴とするコンピュータプログラム。
【請求項９】
記録媒体上の同一領域に対して、記録ヘッドをＮ回（Ｎは２以上の整数）記録走査させて、前記記録媒体上に画像を形成する画像形成装置が実行する画像形成方法であって、
記録データ生成手段が、前記記録走査の各々に対応する記録データを生成する記録データ生成工程と、
記録手段が、前記記録データ生成工程で生成された記録データに基づいて、前記記録媒体上に前記画像を記録する記録工程と、
を含み、
前記記録工程は、
ｋ回目（ｋは２≦ｋ≦Ｎを満たす整数）の記録走査とともに、前記記録手段による（ｋ−１）回目までの記録走査により前記記録媒体上に記録された画像の記録状態を検出する検出工程と、
前記検出工程により検出された（ｋ−１）回までの記録状態に基づいて、前記記録データ生成工程によるｋ回目の記録走査に対応する記録データの前記生成における少なくとも１つの画像処理を制御する制御工程と、
を含むことを特徴とする画像形成方法。
【請求項１０】
記録媒体上の同一領域に対して、記録ヘッドをＮ回（Ｎは２以上の整数）記録走査させて、前記記録媒体上に画像を形成する画像形成装置が実行する画像形成方法であって、
記録データ生成手段が、前記記録走査の各々に対応する記録データを生成する記録データ生成工程と、
記録手段が、前記記録データ生成工程で生成された記録データに基づいて、前記記録媒体上に前記画像を記録する記録工程と、
を含み、
前記記録工程は、
ｊ回目（ｊは１≦ｊ≦Ｎ−１を満たす整数）の記録走査とともに、前記記録手段によるｊ回目までの記録走査により前記記録媒体上に記録された画像の記録状態を検出する検出工程と、
前記検出工程により検出されたｊ回目までの記録状態に基づいて、前記記録データ生成工程による（ｊ＋１）回目の記録走査に対応する記録データの前記生成における少なくとも１つの画像処理を制御する制御工程と、
を含むことを特徴とする画像形成方法。
【手続補正２】
【補正対象書類名】明細書
【補正対象項目名】０００７
【補正方法】変更
【補正の内容】
【０００７】
上述の問題点を解決するために、本発明の画像形成装置は以下の構成を備える。すなわち、記録媒体上の同一領域に対して、記録ヘッドをＮ回（Ｎは２以上の整数）記録走査させて、前記記録媒体上に画像を形成する画像形成装置において、前記記録走査の各々に対応する記録データを生成する記録データ生成手段と、前記記録データ生成手段で生成された記録データに基づいて、前記記録媒体上に前記画像を記録する記録手段と、ｋ回目（ｋは２≦ｋ≦Ｎを満たす整数）の記録走査とともに、前記記録手段による（ｋ−１）回目までの記録走査により前記記録媒体上に記録された画像の記録状態を検出する検出手段と、前記検出手段により検出された（ｋ−１）回までの記録状態に基づいて、前記記録データ生成手段によるｋ回目の記録走査に対応する記録データの前記生成における少なくとも１つの画像処理を制御する制御手段と、を有する。
【手続補正３】
【補正対象書類名】明細書
【補正対象項目名】０００８
【補正方法】変更
【補正の内容】
【０００８】
また、上述の問題点を解決するために、本発明の画像形成装置は以下の構成を備える。すなわち、記録媒体上の同一領域に対して、記録ヘッドをＮ回（Ｎは２以上の整数）記録走査させて、前記記録媒体上に画像を形成する画像形成装置において、前記記録走査の各々に対応する記録データを生成する記録データ生成手段と、前記記録データ生成手段で生成された記録データに基づいて、前記記録媒体上に前記画像を記録する記録手段と、ｊ回目（ｊは１≦ｊ≦Ｎ−１を満たす整数）の記録走査とともに、前記記録手段によるｊ回目までの記録走査により前記記録媒体上に記録された画像の記録状態を検出する検出手段と、前記検出手段により検出されたｊ回目までの記録状態に基づいて、前記記録データ生成手段による（ｊ＋１）回目の記録走査に対応する記録データの前記生成における少なくとも１つの画像処理を制御する制御手段と、を有する。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】